(57)【特許請求の範囲】
【請求項１】
陽極部及び陰極部を備える照明用ランプ、前記陽極部を保持し放熱機能を備える導電性の陽極側ヒートシンク、並びに、前記陰極部を保持し放熱機構を備える導電性の陰極側ヒートシンク、を有するランプユニットと、
前記ランプユニットを着脱自在に収容可能で前記ランプユニットが挿脱される挿入口を有するランプハウスと、
前記陽極側ヒートシンクと前記陰極側ヒートシンクとの少なくとも一方のヒートシンクに一体的に他方のヒートシンクと分離して形成されている凸状の少なくとも１つの挿入方向規制部と、
前記ランプハウスに設けられ前記挿入方向規制部に係合する凹状の係合部と、
前記ランプハウスにおいて前記ランプユニットの挿入方向に延設され前記陽極側ヒートシンクの底部と前記陰極側ヒートシンクの底部とを夫々受ける陽極側ガイド溝と陰極側ガイド溝と、
を具備し、
前記陽極側ヒートシンクと前記陰極側ヒートシンクとの一方のヒートシンクの前記挿入方向に垂直な幅寸法は、他方のヒートシンクの前記挿入方向に垂直な幅寸法よりも小さく、幅寸法の小さい一方のヒートシンクの底部を受ける一方のガイド溝の前記挿入方向に垂直な幅寸法は、幅寸法の大きい他方のヒートシンクの幅寸法よりも小さく、
前記挿入方向規制部は、前記ヒートシンクにおいて前記挿入方向の手前側に配置され前記ランプハウスに前記ランプユニットが手前側と奥側とを誤って挿入された場合には前記係合部と干渉して前記ランプユニットの挿入を停止し、前記ランプハウスに前記ランプユニットが誤って前記挿入方向に垂直な幅方向を中心軸として軸周り方向に反転されて挿入された場合には前記ランプハウスと干渉して前記ランプユニットの挿入を停止し、前記ランプハウスに前記ランプユニットが正規の挿入方向で挿入された場合には前記係合部と係合する、
ことを特徴とする内視鏡用光源装置。
【発明の詳細な説明】
【０００１】
【発明の属する技術分野】
本発明は内視鏡に照明光を供給するための内視鏡用光源装置に関する。
【０００２】
【従来の技術】
従来、体腔内に挿入される内視鏡に照明光を供給するために、内視鏡用光源装置が使用されている。この内視鏡用光源装置のキセノンランプは、例えば数１００時間程度使用された後、新しい光源ランプに交換することが必要となる。そのため、通常の内視鏡用光源装置は、ランプハウスから光源ランプを取り出して新しいキセノンランプに交換できるような構造になっている。
【０００３】
キセノンランプは、一般に発光量が大きく、それに伴って多量の熱を発生する。そのため、この熱が有効に放熱されるように、キセノンランプの陽極および陰極部分にはそれぞれ導電性のヒートシンクが取り付けられている。そして、キセノンランプに点灯電力を供給するため、キセノンランプは、各ヒートシンクを介して、キセノンランプ点灯用電源回路に接続された電極部材に着脱自在に接続される。したがって、キセノンランプを交換する場合には、まず、ヒートシンクに取り付けられた古いキセノンランプを取り外して、新しいキセノンランプをヒートシンクに取り付け、その後、キセノンランプとヒートシンクとからなるランプユニットをランプハウス内の所定の位置に装着するととともに、各ヒートシンクを電極部材と電気的に接続することが必要となる。すなわち、ヒートシンクとランプハウス内とにはそれぞれ固定用締結構造や電気的な接点構造が設けられており、キセノンランプの交換にはこうした構造を介した機械的および電気的な接続作業が必要となる。このような内視鏡用光源装置の具体的な従来例を以下に示す。
【０００４】
図１０および図１１は内視鏡用光源装置の従来の構造の一例を概略的に示している。この内視鏡用光源装置は、キセノンランプ１０１に導電性の陽極側ヒートシンク１０２と陰極側ヒートシンク１０３とが取り付けられて成るランプユニット１０４を備えている。各ヒートシンク１０２，１０３にはそれぞれ棒状の締結部材１０７が挿通されている。この締結部材１０７の一端側には、各ヒートシンク１０２，１０３の一端側に位置して、円柱状のツマミ部１０５が形成されている。また、締結部材１０７の他方側には、各ヒートシンク１０２，１０３の他端側に位置して、雄ネジ部１０６が形成されている。なお、締結部材１０７は、任意の材質で形成されているが、ヒートシンク１０２，１０３と後述する電極ブロック１０９との電気的接続をより強めるため、好ましくは導電性部材で形成されている。
【０００５】
また、ランプハウス（筐体）内には、ここに装着される各ヒートシンク１０２，１０３とそれぞれ当接状態で接続可能な導電性の一対の電極ブロック１０９が配置されている。ヒートシンク１０２，１０３と当接する電極ブロック１０９の当接面には、締結部材１０７の雄ネジ部１０６と螺合する雌ネジ部１０８と、突起部１１０とが設けられている。また、電極ブロック１０９の前記当接面と当接する各ヒートシンク１０２，１０３の面には、電極ブロック１０９の突起部１１０が挿入接続される穴部１１１が設けられている。
【０００６】
したがって、このような構成では、ランプユニット１０４をランプハウス内に挿入した後、締結部材１０７のツマミ部１０５を回動させて、締結部材１０７の雄ネジ部１０６を電極ブロック１０９の雌ネジ部１０８に螺合すると、ヒートシンク１０２，１０３が電極ブロック１０９の前記当接面に押し付けられて、ランプユニット１０４がその挿入方向で位置決め固定されるとともに、電気的な接続がなされる。また、この時、電極ブロック１０９の突起部１１０がランプユニット１０４の穴部１１１に挿入接続されることにより、ランプユニット１０４の挿入方向以外の方向での位置決めもなされる。
【０００７】
また、特公平７‐７０８５０号公報には、内視鏡用光源装置の他の構造が開示されている。この公報に開示された内視鏡用光源装置は、キセノンランプと、キセノンランプを保持する導電性の陽極側ヒートシンクおよび陰極側ヒートシンクと、両ヒートシンクを固定的に支持する電気絶縁性の支持基板とによって構成されるランプユニットを備えている。陽極側ヒートシンクには雌側（もしくは雄側）電極コネクタが設けられ、陰極側ヒートシンクには雄側（もしくは雌側）電極コネクタが設けられている。また、ランプハウス内には電気的絶縁性の固定基板が配置されており、この固定基板にはヒートシンク側の電極コネクタと雄雌接合する電極コネクタが設けられている。
【０００８】
このような構成では、所定の位置でランプユニットをランプハウス内に押し込むと、ヒートシンク側の電極コネクタと固定基板側の電極コネクタとが互いに接合され、ランプユニットへの電源的接続がなされるとともに、ランプユニットの固定がなされる。
【０００９】
【発明が解決しようとする課題】
ところで、図１０および図１１に示される従来の構造では、ランプハウス内へのランプユニットの挿入により、ランプユニットと電極ブロックとの電気的接続およびランプユニットの固定の両方が同時になされるため、ランプハウス内へのランプユニットの挿入方向は一方向に限定される。しかし、この従来構造には、ランプユニットの誤った向きでの挿入を防止する手段が設けられていないため、ランプユニットは、その正規の挿入方向に対して上下が反転した状態、前後が反転した状態、もしくは、上下および前後が反転した状態で、ランプハウス内に挿入される可能性がある。そのような場合、ランプユニットのヒートシンクとランプハウス内の電極ブロックとが一部分でも接する状態もしくは近い距離にあると、ランプ点灯動作を行なった際にランプユニットへ電力が供給されてしまう可能性があり、ランプに正負逆の電圧が印可されたり、電気接点部での接触不良により放電が生じるといった事態も起こり得る。また、特公平７‐７０８５０号公報に開示された内視鏡用光源装置にも、これと全く同様の問題がある。また、ランプハウス内へのランプユニットの無理な挿入によって、コネクタ形状の電気接点部が破損してしまう可能性もある。
【００１０】
本発明は前記事情に着目してなされたものであり、その目的とするところは、ランプハウスに対するランプユニットの誤った向きでの挿入を防止することができる内視鏡用光源装置を提供することにある。
【００１１】
【課題を解決するための手段】
本発明の一実施態様の内視鏡用光源装置は、陽極部及び陰極部を備える照明用ランプ、前記陽極部を保持し放熱機能を備える導電性の陽極側ヒートシンク、並びに、前記陰極部を保持し放熱機構を備える導電性の陰極側ヒートシンク、を有するランプユニットと、前記ランプユニットを着脱自在に収容可能で前記ランプユニットが挿脱される挿入口を有するランプハウスと、前記陽極側ヒートシンクと前記陰極側ヒートシンクとの少なくとも一方のヒートシンクに一体的に他方のヒートシンクと分離して形成されている凸状の少なくとも１つの挿入方向規制部と、前記ランプハウスに設けられ前記挿入方向規制部に係合する凹状の係合部と、前記ランプハウスにおいて前記ランプユニットの挿入方向に延設され前記陽極側ヒートシンクの底部と前記陰極側ヒートシンクの底部とを夫々受ける陽極側ガイド溝と陰極側ガイド溝と、を具備し、前記陽極側ヒートシンクと前記陰極側ヒートシンクとの一方のヒートシンクの前記挿入方向に垂直な幅寸法は、他方のヒートシンクの前記挿入方向に垂直な幅寸法よりも小さく、幅寸法の小さい一方のヒートシンクの底部を受ける一方のガイド溝の前記挿入方向に垂直な幅寸法は、幅寸法の大きい他方のヒートシンクの幅寸法よりも小さく、前記挿入方向規制部は、前記ヒートシンクにおいて前記挿入方向の手前側に配置され前記ランプハウスに前記ランプユニットが手前側と奥側とを誤って挿入された場合には前記係合部と干渉して前記ランプユニットの挿入を停止し、前記ランプハウスに前記ランプユニットが誤って前記挿入方向に垂直な幅方向を中心軸として軸周り方向に反転されて挿入された場合には前記ランプハウスと干渉して前記ランプユニットの挿入を停止し、前記ランプハウスに前記ランプユニットが正規の挿入方向で挿入された場合には前記係合部と係合する、ことを特徴とする。
【００１４】
【発明の実施の形態】
以下、図面を参照しながら本発明の実施形態について説明する。
【００１５】
図１〜図８は本発明の第１の実施形態を示している。図１には、本実施形態に係る内視鏡用光源装置１のランプ装着部分が示されている。図示のように、光源装置１のシャーシ２上には、絶縁部材で形成された光学ベース３が取付けられている。また、この光学ベース３にはランプハウス（筐体）４が立設され、ランプハウス４内には、ランプユニット６ｃが所定の装着状態で着脱自在で装着されている。ランプユニット６ｃは、光源ランプとしての円筒形状のキセノンランプ５と、キセノンランプ５を保持し且つ放熱機能を有する陽極側ヒートシンク６ａおよび陰極側ヒートシンク６ｂとから成る。陽極側ヒートシンク６ａおよび陰極側ヒートシンク６ｂはそれぞれ、キセノンランプ５の陽極および陰極のそれぞれの電極部に取り付けられている。
【００１６】
シャーシ２の後端は図示しないリアパネルの下端に接続され、このリアパネルの上端にトップカバー１０が接続されている。トップカバー１０の一方の側面には開口が形成され、この開口はランプ交換扉２１（図４参照）によって開閉される。
【００１７】
キセノンランプ５から発せられた光は、ランプユニット６ｃの陰極側端面からこの陰極側端面と対向するランプハウス４の開口を通じて出射され、光軸Ｏに沿って配置された集光レンズ７および図示しない絞りを経て、その前方に位置する内視鏡のライトガイド９の端面に集光される。なお、ライトガイド９は、ライトガイドコネクタ受け（あるいはスコープ受け）８に着脱自在に装着されている。
【００１８】
図２および図３に示されるように、ランプユニット６ｃの各ヒートシンク６ａ，６ｂにはそれぞれ棒状の締結部材１３が挿通されている。この締結部材１３の一端側には、各ヒートシンク６ａ，６ｂの一端側に位置して、円柱状のツマミ部１１が形成されている。また、締結部材１３の他方側には、各ヒートシンク６ａ，６ｂの他端側に位置して、雄ネジ部１２が形成されている。なお、締結部材１３は、任意の材質で形成されているが、ヒートシンク６ａ，６ｂと後述する電極ブロック１５との電気的接続をより強めるため、好ましくは導電性部材で形成されている。
【００１９】
また、ランプハウス４内には、ここに装着される各ヒートシンク６ａ，６ｂとそれぞれ当接状態で接続可能な導電性の一対の電極ブロック１５が配置されている。ヒートシンク６ａ，６ｂと当接する電極ブロック１５の当接面には、締結部材１３の雄ネジ部１２と螺合する雌ネジ部１４と、突起部１６とが設けられている。また、電極ブロック１５の前記当接面と当接する各ヒートシンク６ａ，６ｂの面には、電極ブロック１５の突起部１６が挿入接続される穴部１７が設けられている。
【００２０】
また、ヒートシンク６ａ，６ｂの少なくとも一方には、電極ブロック１５の当接面に当接される面と反対側の面の上部に、突起状の挿入方向規制部（凸部）１８が設けられている。また、ランプハウス４には、ランプユニット挿入口の上端部に、挿入方向規制部１８と係合する係合部（凹部）１９が設けられている。この係合部１９は、例えば、挿入方向規制部１８の突起を逃がすようにランプハウス４の上面を一部切り欠くことによって形成されている。そして、係合部１９は、挿入方向規制部１８とともに、ランプハウス４に対するランプユニット６ｃの正規の挿入方向を規定する（ランプユニット６ｃの誤った向きでの挿入を防止する）挿入方向規定手段を構成している。
【００２１】
図４には、トップカバー１０の開口を開閉するランプ交換扉２１が示されている。図示のように、ランプハウス４の内側に面するランプ交換扉２１の裏面（内面）には、ランプ交換扉２１の開閉に連動して移動するスイッチ押し込み部材２２が設けられている。また、図５に示されるように、ランプハウス４の内部には、ランプ交換扉２１の開閉に連動して作動するインターロックスイッチ２３がブラケット２４に保持された状態で配置されている。インターロックスイッチ２３は、ランプ交換扉２１の開閉に連動して移動するスイッチ押し込み部材２２によってそのＯＮ／ＯＦＦが切換えられる。具体的には、図６の（ａ）に示されるようにランプ交換扉２１が開かれると、インターロックスイッチ２３がＯＦＦされ、図６の（ｂ）に示されるようにランプ交換扉２１が閉じられると、インターロックスイッチ２３がＯＮされる。
【００２２】
インターロックスイッチ２３のＯＮ／ＯＦＦを確実に行なうためには、一般的に、スイッチ押し込み部材２２やインターロックスイッチ２３のブラケット２４等の各部品に高い加工精度および位置精度が要求される。しかし、本実施形態では、こうした高い精度を要求することなくインターロックスイッチ２３のＯＮ／ＯＦＦを確実に行なうことができるように、インターロックスイッチ２３のＯＮ／ＯＦＦに伴うスイッチ押し込み部材２２の移動をガイドする案内口２５がブラケット２４に設けられている。
【００２３】
図７および図８には、ランプ５側から見た陰極側ヒートシンク６ｂが示されている。図示のように、陰極側ヒートシンク６ｂには円筒形状の磁性体２６が設けられている。この磁性体２６は、キセノンランプ５が点灯する際に生じる輝点位置の地磁気によるズレを調整し、安定した光量が得られるようにする。磁性体２６の一方側は、金属板を箱形状に折り曲げて形成された保持部材２７によって５方向を覆われている。この場合、保持部材２７は、磁性体２６の他方端が陰極側ヒートシンク６ｂに設けられた溝部２８内に嵌まり込むように、陰極側ヒートシンク６ｂに固定されている。なお、保持部材２７は、金属板に限らず、磁性体２６の一方側を覆い且つヒートシンク６ｂに固定できるものであれば、形状や材質を問わない。
【００２４】
次に、上記構成の内視鏡用光源装置１のランプ交換時の動作について説明する。
【００２５】
まず、図３の（ａ）に示されるようにランプユニット６ｃを正規の向きでランプハウス４内に挿入し、締結部材１３のツマミ部１１を回動させて、締結部材１３の雄ネジ部１２を電極ブロック１５の雌ネジ部１４に螺合すると、ヒートシンク６ａ，６ｂが電極ブロック１５の当接面に押し付けられて、ランプユニット６ｃがその挿入方向で位置決め固定されるとともに、電気的な接続がなされる。その状態が図３の（ｂ）に示されている。また、この時、電極ブロック１５の突起部１６がランプユニット６ｃの穴部１７に挿入接続されることにより、ランプユニット６ｃの挿入方向以外の方向での位置決めもなされる。また、この状態では、ヒートシンク６ａ，６ｂの少なくとも一方に設けられた突起状の挿入方向規制部１８がランプハウス４の係合部と良好に係合し、ランプユニット６ｃが正規の装着状態に位置される。
【００２６】
これに対し、ランプユニット６ｃの挿入が誤った方向でなされると、挿入開始直後に挿入方向規制部１８がランプハウス４もしくは光学ベース３と干渉し、ランプユニット６ｃのそれ以上の挿入ができなくなる。そのため、締結構造や接点構造が適合しない部位にぶつかることがない。すなわち、誤挿入による締結構造や接点構造の変形や破損、接点部の接触不良による放電現象等を防ぐことができる。
【００２７】
以上説明したように、本実施形態の内視鏡用光源装置１は、ランプハウス４に対するランプユニット６ｃの正規の挿入方向を規定する挿入方向規定手段を有している。しかも、この挿入方向規定手段は、ヒートシンク６ａ，６ｂの少なくとも一方に突起状の挿入方向規制部１８を設け、この挿入方向規制部１８をランプハウス４の係合部１９に係合させるといった極めて簡単な構成によって実現されている。したがって、キセノンランプ５を交換する際、ランプユニット６ｃの誤った向きでの挿入を非常に簡易的な構造で防止することができる。そのため、誤挿入による締結構造や接点構造の変形や破損、接点部の接触不良による放電現象等を未然に防ぐことができる。
【００２８】
また、本実施形態では、インターロックスイッチ２３のＯＮ／ＯＦＦに伴うスイッチ押し込み部材２２の移動をガイドする案内口２５がブラケット２４に設けられているため、要求される加工精度および位置精度を大幅に軽減させることができる。
【００２９】
なお、キセノンランプ５の冷却に用いられるヒートシンク６ａ，６ｂは、放熱性が高く且つ導電性が高いという特性が必要であるため、一般的にアルミニウムの押出し成形によって加工されることが多い。これに対応して、本実施形態に係るヒートシンク６ａ，６ｂの挿入方向規制部（突起部）１８も、特に２次的な削り加工等を用いることなく、ランプユニット６ｃの挿入方向に対して垂直な方向への押出し成形を行なうことにより形成できるようになっている。そのため、加工性が非常に良い。また、挿入方向規制部１８は、このようにヒートシンク６ａ，６ｂの一部として一体形成されたものに限らず、突起状の別体部品をヒートシンク６ａ，６ｂに取り付けることによって形成されても良い。また、挿入方向規制部１８の形状および大きさは様々に変更することができる。要は、ランプユニット６ｃが正規の方向で挿入される場合には挿入方向規制部１８と係合部１９とが良好に係合し、ランプユニット６ｃが誤った方向で挿入される場合には挿入方向規制部１８が係合部１９と係合することなくランプハウス４の任意の部位と干渉してランプユニット６ｃの挿入が不可能となるように、挿入方向規制部１８の形状および大きさを設定すれば良い。また、挿入方向規制部１８は、ヒートシンク６ａ，６ｂにおいて、電極ブロック１５の当接面に当接される面と反対側の面の下部に設けられていても良い。この場合、係合部１９は光学ベース３に設けられる。
【００３０】
図９は本発明の第２の実施形態を示している。図示のように、本実施形態の内視鏡用光源装置のランプユニット３１ｃは、光源ランプとして円筒形状のキセノンランプ５と、キセノンランプ５の陽極および陰極のそれぞれの電極部に取り付けられた陽極側ヒートシンク３１ａおよび陰極側ヒートシンク３１ｂとによって構成されている。また、ランプハウス内の光学ベース３には、一定の方向でのみ陽極側ヒートシンク３１ａおよび陰極側ヒートシンク３１ｂの底部（凸部）を受け入れ可能な陽極側ガイド溝３２ａおよび陰極側ガイド溝（凹部）３２ｂが設けられている。具体的には、陽極側ヒートシンク３１ａと陰極側ヒートシンク３１ｂはその幅（例えばランプユニット３１ｃの挿入方向に対して垂直な方向の幅）が互いに異なるとともに、これらのヒートシンク３１ａ，３１ｂを受けるガイド溝３２ａ，３２ｂの幅も互いに異なっており、幅寸法が互いに一致するガイド溝３２ａ（３２ｂ）とヒートシンク３１ａ（３１ｂ）とだけが係合し得るようになっている。すなわち、ヒートシンク３１ａ，３１ｂとガイド溝３２ａ，３２ｂは、その幅寸法を異ならせることにより、ランプハウスに対するランプユニット３１ｃの正規の挿入方向を規定する挿入方向規定手段を形成している。なお、ガイド溝３２ａ，３２ｂの幅寸法は、対応するヒートシンク３１ａ，３１ｂの幅寸法よりも若干大きく設定されている。
【００３１】
このような構成では、ランプユニット３１ｃがランプハウス内に正規の方向で挿入された時だけ、陽極側ヒートシンク３１ａおよび陰極側ヒートシンク３１ｂが陽極側ガイド溝３２ａおよび陰極側ガイド溝３２ｂに嵌まり込み、ランプユニット３１ｃの機械的および電気的な接続が正常になされる。
【００３２】
したがって、本実施形態によれば、第１の実施形態と同様の作用効果を得ることができるとともに、各ヒートシンク３１ａ，３１ｂとその装着部であるガイド溝３２ａ，３２ｂとを合致させるだけで良いため、作業者に対して視覚的に認識させ易いという効果が得られる。また、本実施形態においても、各ヒートシンク３１ａ，３１ｂの幅（厚み）の違いを、特に２次的な削り加工等を用いることなく、ランプユニット６ｃの挿入方向に対して垂直な方向への押出し成形を行なうことにより形成できるため、加工性が非常に良い。
【００３３】
なお、以上説明してきた技術内容によれば、以下に示されるような各種の構成が得られる。
【００３４】
１．照明光を発生する照明用ランプと、
該ランプを保持し、放熱機能を有するヒートシンクとから構成されるランプユニットと、
該ランプユニットが納まり、出し入れが可能な挿入口を有するランプハウスと、
を備える内視鏡用光源装置において、
前記ヒートシンクと前記ランプハウスに、正規の挿入方向で装着した時にのみ装着状態にまで挿入が可能な凸部と凹部を設けた、
ことを特徴とする内視鏡用光源装置。
【００３５】
２．陽極および陰極１対の電極部を有し、照明光を発生する照明用のキセノンランプと、
該キセノンランプの陽極側電極部を保持し、放熱機能を有する導電性の陽極側ヒートシンクと、
前記キセノンランプの陰極側電極部を保持し、放熱機能を有する導電性の陰極側ヒートシンクとから構成されるランプユニットと、
該ランプユニットが納まり、出し入れが可能な挿入口を有するランプハウスと、
を備える内視鏡用光源装置において、
前記陽極側ヒートシンクおよび陰極側ヒートシンクの少なくとも一方に、ランプハウスユニット挿入方向に対して垂直な方向へ突出する突起部を設け、
前記ランプハウスの、前記ヒートシンクの突起部に対向する面を該ヒートシンクと近接させ、かつ、前記ランプユニット装着時において前記突起部と干渉しない逃げ部を設けた、
ことを特徴とする内視鏡用光源装置。
【００３６】
３．陽極および陰極１対の電極部を有し、照明光を発生する照明用のキセノンランプと、
該キセノンランプの陽極側電極部を保持し、放熱機能を有する導電性の陽極側ヒートシンクと、
前記キセノンランプの陰極側電極部を保持し、放熱機能を有する導電性の陰極側ヒートシンクとから構成されるランプユニットと、
該ランプユニットが納まり、出し入れが可能な挿入口を有するランプハウスと、
を備える内視鏡用光源装置において、
前記陽極側および陰極側のヒートシンクの、挿入方向に対して垂直方向の幅を異なる寸法にし、
前記ランプハウスのランプユニット挿入口に、前記陽極側および陰極側ヒートシンクそれぞれの下面を受け、それぞれのヒートシンクの幅よりも広い幅を持つ溝部を設け、かつ、幅の狭いヒートシンクに対する溝部の幅を、幅の狭いヒートシンクの幅よりも狭くした、
ことを特徴とする内視鏡用光源装置。
【００３７】
４．突起部をヒートシンクの手前上面、凹部をランプハウスにそれぞれ設けたことを特徴とする第１項または第２項に記載の内視鏡用光源装置。
【００３８】
５．突起部をヒートシンクの手前下面としたことを特徴とする第４項に記載の内視鏡用光源装置。
【００３９】
６．ランプユニットが挿入可能な挿入口を有するランプハウスと、
を備える内視鏡用光源装置において、
前記陽極側ヒートシンクおよび陰極側ヒートシンクの少なくとも一方に、ランプハウスユニット挿入方向に対して手前上面に突起部を設け、
手前ランプハウスの、前記ヒートシンクの上面と対向する面を該ヒートシンクと近接させ、かつ、前記ランプユニット装着時において前記突起部と干渉しない逃げ部を設けた、
ことを特徴とする内視鏡用光源装置。
【００４０】
７．陽極および陰極１対の電極部を有し、照明光を発生する照明用のキセノンランプと、
該キセノンランプの陽極側電極部を保持し、放熱機能を有する導電性の陽極側ヒートシンクと、
前記キセノンランプの陰極側電極部を保持し、放熱機能を有する導電性の陰極側ヒートシンクとから構成されるランプユニットと、
該ランプユニットが挿入可能な挿入口を有するランプハウスと、
を備える内視鏡用光源装置において、
前記陽極側および陰極側ヒートシンクの、挿入方向に対して垂直方向の幅を異なる寸法にし、
前記ランプハウスのランプユニット挿入口に、前記陽極側および陰極側ヒートシンクそれぞれの下面を受け、それぞれのヒートシンクの幅よりも広い幅を持つ溝部を設け、かつ、幅の狭いヒートシンクに対する溝部の幅を、幅の狭いヒートシンクの幅よりも狭くした、
ことを特徴とする内視鏡用光源装置。
【００４１】
【発明の効果】
以上説明したように、本発明の内視鏡用光源装置によれば、ランプハウスに対するランプユニットの誤った向きでの挿入を防止することができる。
【図面の簡単な説明】
【図１】本発明の第１の実施形態に係る内視鏡用光源装置の主要部を一部断面で示す側面図である。
【図２】図１の内視鏡用光源装置を構成するランプユニットの斜視図である。
【図３】（ａ）は図２のランプユニットをランプハウス内へ挿入する過程を示す正断面図、（ｂ）は図２のランプユニットをランプハウス内に完全に装着した状態を示す正断面図である。
【図４】図１の内視鏡用光源装置のランプ交換扉をランプハウスの内側から見た斜視図である。
【図５】ランプ交換扉の開閉に連動して作動するインターロックスイッチの斜視図である。
【図６】（ａ）は図５のインターロックスイッチのＯＦＦ状態の上面図、（ｂ）は図５のインターロックスイッチのＯＮ状態の上面図である。
【図７】陰極側ヒートシンクをランプ側から見た側面図である。
【図８】図７の陰極側ヒートシンクの主要部の斜視図である。
【図９】本発明の第２の実施形態に係る内視鏡用光源装置の主要部を示す側面図である。
【図１０】従来のランプユニット装着部の斜視図である。
【図１１】図１０のランプユニットの正面図である。
【符号の説明】
１…内視鏡用光源装置
４…ランプハウス
５…キセノンランプ（照明用ランプ）
６ａ，６ｂ，３１ａ，３１ｂ…ヒートシンク
６ｃ，３１ｃ…ランプユニット
１８…挿入方向規制部（挿入方向規定手段）
１９…係合部（挿入方向規定手段）
３２ａ，３２ｂ…ガイド溝（挿入方向規定手段）
【図１】
0003806579.tif 000002
【図２】
0003806579.tif 000003
【図３】
0003806579.tif 000004
【図４】
0003806579.tif 000005
【図５】
0003806579.tif 000006
【図６】
0003806579.tif 000007
【図７】
0003806579.tif 000008
【図８】
0003806579.tif 000009
【図９】
0003806579.tif 000010
【図１０】
0003806579.tif 000011
【図１１】
0003806579.tif 000012